【手続補正書】
【提出日】平成17年10月28日(2005.10.28)
【手続補正１】
【補正対象書類名】明細書
【補正対象項目名】発明の名称
【補正方法】変更
【補正の内容】
【発明の名称】画像処理方法及び装置
【手続補正２】
【補正対象書類名】明細書
【補正対象項目名】特許請求の範囲
【補正方法】変更
【補正の内容】
【特許請求の範囲】
【請求項１】
符号化された画像データを断片的に入力しキャッシュして再生する画像処理方法であって、
画像の注目領域を特定する注目領域特定工程と、
前記注目領域が変更されることにより、前記画像データをキャッシュしているキャッシュデータ量がキャッシュメモリの許容量を越えるかどうかを判定する判定工程と、
前記判定工程で越えると判定されると前記キャッシュメモリに格納されているキャッシュデータから削除すべきデータ量を求める削除データ量決定工程と、
前記注目領域特定工程で特定された注目領域から削除する単位領域までの距離を測定する距離測定工程と、
前記注目領域と前記距離測定工程で測定された前記距離に基づいて、キャッシュデータからデータを削除する削除領域を前記単位領域を単位として決定する削除領域決定工程と、
前記削除領域決定工程で決定された前記削除領域に含まれるキャッシュデータを削除する削除工程と、
を有することを特徴とする画像処理方法。
【請求項２】
符号化された画像データを断片的に入力しキャッシュして再生する画像処理方法であって、
画像の注目領域を特定する注目領域特定工程と、
前記注目領域が変更されることにより、前記画像データをキャッシュしているキャッシュデータ量がキャッシュメモリの許容量を越えるかどうかを判定する判定工程と、
前記判定工程で越えると判定されると前記キャッシュメモリに格納されているキャッシュデータから削除すべきデータ量を求める削除データ量決定工程と、
前記画像データを構成する単位領域の使用状況を管理するアクセス時間管理工程と、
前記注目領域と前記使用状況に基づいて、キャッシュデータからデータを削除する削除領域を前記単位領域を単位として決定する削除領域決定工程と、
前記削除領域決定工程で決定された前記削除領域に含まれるキャッシュデータを削除する削除工程と、
を有することを特徴とする画像処理方法。
【請求項３】
前記判定工程では、前記画像データをキャッシュするキャッシュメモリの残量と、前記変更された注目領域を表示するためのデータ量とに基づいて、前記キャッシュメモリの許容量を越えるかどうかを判定することを特徴とする請求項１又は２に記載の画像処理装置。
【請求項４】
前記画像データはＩＳＯ／ＩＥＣ−１５４４４に準拠したＪＰＥＧ２０００符号化データであることを特徴とする請求項１乃至３のいずれか１項に記載の画像処理方法。
【請求項５】
前記画像データは、ＪＰＥＧ２０００の断片化されたパケット単位に入力されることを特徴とする請求項４に記載の画像処理方法。
【請求項６】
前記単位領域は、ＪＰＥＧ２０００のタイルに相当することを特徴とする請求項４に記載の画像処理方法。
【請求項７】
前記削除工程では、パケット単位で削除することを特徴とする請求項４又は５に記載の画像処理方法。
【請求項８】
前記削除工程では、前記削除領域のresolution level 0，layer 1のパケットを除く全てのパケットのデータを削除することを特徴とする請求項４又は５に記載の画像処理方法。
【請求項９】
前記単位領域は、resolution level 0，layer 1を除くパケットであり、パケット単位で選択し１回以上数回に分けて削除されることを特徴とする請求項８に記載の画像処理方法。
【請求項１０】
前記単位領域は、ＪＰＥＧ２０００のプリシンクト（precinct）であることを特徴とする請求項４又は５に記載の画像処理方法。
【請求項１１】
前記プリシンクトは、前記削除工程でパケット単位に削除されることを特徴とする請求項１０に記載の画像処理方法。
【請求項１２】
前記単位領域は、ＪＰＥＧ２０００のコードブロック（code-block）であることを特徴とする請求項４又は５に記載の画像処理方法。
【請求項１３】
前記単位領域は、同じresolution、同じlayerを構成するために必要なサブバンドからＬＬ成分を除いたデータから構成されるcode-blockのデータであることを特徴とする請求項１２に記載の画像処理方法。
【請求項１４】
符号化された画像データを断片的に入力しキャッシュして再生する画像処理装置であって、
画像の注目領域を特定する注目領域特定手段と、
前記注目領域が変更されることにより、前記画像データをキャッシュしているキャッシュデータ量がキャッシュメモリの許容量を越えるかどうかを判定する判定手段と、
前記判定手段により越えると判定されると前記キャッシュメモリに格納されているキャッシュデータから削除すべきデータ量を求める削除データ量決定手段と、
前記注目領域特定手段により特定された注目領域から削除する単位領域までの距離を測定する距離測定手段と、
前記注目領域と前記距離測定手段により測定された前記距離に基づいて、キャッシュデータからデータを削除する削除領域を前記単位領域を単位として決定する削除領域決定手段と、
前記削除領域決定手段により決定された前記削除領域に含まれるキャッシュデータを削除する削除手段と、
を有することを特徴とする画像処理装置。
【請求項１５】
符号化された画像データを断片的に入力しキャッシュして再生する画像処理装置であって、
画像の注目領域を特定する注目領域特定手段と、
前記注目領域が変更されることにより、前記画像データをキャッシュしているキャッシュデータ量がキャッシュメモリの許容量を越えるかどうかを判定する判定手段と、
前記判定手段により越えると判定されると前記キャッシュメモリに格納されているキャッシュデータから削除すべきデータ量を求める削除データ量決定手段と、
前記画像データを構成する単位領域の使用状況を管理するアクセス時間管理手段と、
前記注目領域と前記使用状況に基づいて、キャッシュデータからデータを削除する削除領域を前記単位領域を単位として決定する削除領域決定手段と、
前記削除領域決定手段により決定された前記削除領域に含まれるキャッシュデータを削除する削除手段と、
を有することを特徴とする画像処理装置。
【請求項１６】
前記判定手段では、前記画像データをキャッシュするキャッシュメモリの残量と、前記変更された注目領域を表示するためのデータ量とに基づいて前記キャッシュメモリの許容量を越えるかどうかを判定することを特徴とする請求項１４又は１５に記載の画像処理装置。
【請求項１７】
前記画像データはＩＳＯ／ＩＥＣ−１５４４４に準拠したＪＰＥＧ２０００符号化データであることを特徴とする請求項１４乃至１６のいずれか１項に記載の画像処理装置。
【請求項１８】
前記画像データは、ＪＰＥＧ２０００の断片化されたパケット単位に入力されることを特徴とする請求項１７に記載の画像処理装置。
【請求項１９】
前記単位領域は、ＪＰＥＧ２０００のタイルに相当することを特徴とする請求項１７に記載の画像処理装置。
【請求項２０】
前記削除手段は、パケット単位で削除することを特徴とする請求項１７又は１８に記載の画像処理装置。
【請求項２１】
前記削除手段は、前記削除領域のresolution level 0，layer 1のパケットを除く全てのパケットのデータを削除することを特徴とする請求項１７又は１８に記載の画像処理装置。
【請求項２２】
前記単位領域は、resolution level 0，layer 1を除くパケットであり、パケット単位で選択し１回以上数回に分けて削除されることを特徴とする請求項２０に記載の画像処理装置。
【請求項２３】
前記単位領域は、ＪＰＥＧ２０００のプリシンクト（precinct）であることを特徴とする請求項１７又は１８に記載の画像処理装置。
【請求項２４】
前記プリシンクトは、前記削除手段でパケット単位に削除されることを特徴とする請求項２３に記載の画像処理装置。
【請求項２５】
前記単位領域はＪＰＥＧ２０００のコードブロック（code-block）であることを特徴とする請求項１７又は１８に記載の画像処理装置。
【請求項２６】
前記単位領域は、同じresolution、同じlayerを構成するために必要なサブバンドからＬＬ成分を除いたデータから構成されるcode-blockのデータであることを特徴とする請求項２５に記載の画像処理装置。